(57)【要約】【課題】  テクスチャーマッピングのような複雑で手間のかかる操作を一切行うことなく、単純な処理で、各部材のテクスチャーを表現した彩色図面を作成することを可能とする彩色図面作成システム及びその方法の提供【解決手段】  ＣＡＤで作成した図面に基づいて、各部材の塗り方を定義し、前記定義された塗り方によって各部材の塗りパターンを設定し、上記設定された塗りパターンによって各部材の彩色を行うことにより、各部材のテクスチャーを表現した彩色図面を作成する。【選択図】  図２
2005157811.tif 000002
【特許請求の範囲】
【請求項１】
ＣＡＤにより作図した図面の各部材に彩色を施して彩色図面
を作成するシステムであって、
ＣＡＤで作成した図面に基づいて、各部材の塗り方を定義し、
前記定義された塗り方によって各部材の塗りパターンを設定し、
上記設定された塗りパターンによって各部材の彩色を行うことにより、彩色図面を作成することを特徴とする彩色図面作成システム。
【請求項２】
ＣＡＤにより作図した、彩色情報、色（ＲＧＢ）情報、及び
塗りパターン情報を有する図面の各部材に彩色を施して、彩色図面を作成する
システムであって、
当該システムは、
ＣＡＤで作成した図面に基づいて、彩色情報において、各部材の色コードを定義する手段と、
塗りパターン情報において、各部材の塗り方を定義する手段と、
色（ＲＧＢ）情報において、前記定義された各部材の色コードに対する、塗色を設定する手段と、
色（ＲＧＢ）情報において、上記定義された各部材の塗り方によって、前記定義された各部材の色コードに対する、塗りパターンを設定する手段と、
上記定義された各部材の色コード、設定された各部材の色コードに対する塗色、及び設定された各部材の色コードに対する塗りパターンによって、各部材の彩色を行い、彩色図面を作成する手段と、
上記作成された彩色図面を表示する手段と、
前記表示された彩色図面を出力する手段と、
を有する彩色図面作成システム。
【請求項３】
ＣＡＤにより作図した、彩色情報、色（ＲＧＢ）情報、及び
塗りパターン情報を有する図面の各部材に彩色を施して、彩色図面を作成する
システムを機能させるためのプログラムであって、
コンピューターを、
ＣＡＤで作成した図面に基づいて、彩色情報において、各部材の色コードを定義する手段と、
塗りパターン情報において、各部材の塗り方を定義する手段と、
色（ＲＧＢ）情報において、前記定義された各部材の色コードに対する、塗色を設定する手段と、
色（ＲＧＢ）情報において、上記定義された各部材の塗り方によって、前記定義された各部材の色コードに対する、塗りパターンを設定する手段と、
上記定義された各部材の色コード、設定された各部材の色コードに対する塗色、及び設定された各部材の色コードに対する塗りパターンによって、各部材の彩色を行い、彩色図面を作成する手段と、
上記作成された彩色図面を表示する手段と、
前記表示された彩色図面を出力する手段として
機能させるための彩色図面作成プログラム。
【請求項４】
ＣＡＤで作成した図面に基づいて、彩色情報において、各部材の色コードを定義する手段と、
塗りパターン情報において、各部材の塗り方を定義する手段と、
色（ＲＧＢ）情報において、前記定義された各部材の色コードに対する、塗色を設定する手段と、
色（ＲＧＢ）情報において、上記定義された各部材の塗り方によって、前記定義された各部材の色コードに対する、塗りパターンを設定する手段と、
上記定義された各部材の色コード、設定された各部材の色コードに対する塗色、及び設定された各部材の色コードに対する塗りパターンによって、各部材の彩色を行い、彩色図面を作成する手段と、
上記作成された彩色図面を表示する手段と、
前記表示された彩色図面を出力する手段と、
配信先の配信要求に応じて配信する配信手段と、
を備えたことを特徴とする彩色図面作成プログラムを配信する配信サーバ装置。
【請求項５】
ＣＡＤにより作図した、彩色情報、色（ＲＧＢ）情報、及び
塗りパターン情報を有する図面の各部材に彩色を施して、彩色図面を作成する
方法であって、
ＣＡＤで作成した図面に基づいて、彩色情報において、各部材の色コードを定義するステップと、
塗りパターン情報において、各部材の塗り方を定義するステップと、
色（ＲＧＢ）情報において、前記定義された各部材の色コードに対する、塗色を設定するステップと、
色（ＲＧＢ）情報において、上記定義された各部材の塗り方によって、前記定義された各部材の色コードに対する、塗りパターンを設定するステップと、
上記定義された各部材の色コード、設定された各部材の色コードに対する塗色、及び設定された各部材の色コードに対する塗りパターンによって、各部材の彩色を行い、彩色図面を作成するステップと、
上記作成された彩色図面を表示するステップと、
前記表示された彩色図面を出力するステップと、
を有する彩色図面作成方法。
【発明の詳細な説明】
【技術分野】
【０００１】
本発明は、ＣＡＤ（Computer Aided Design）を利用して作成された平面図、立面図等の図面への色付け（彩色）において、テクスチャーを表現した彩色図面の作成を行う技術に関する。  
【背景技術】
【０００２】
従来、ＣＡＤを利用して作図された平面図や立面図等において、実際の材料が有する模様や材質等の感じ（テクスチャー）を表現した彩色図面の作成といえば、テクスチャーマッピングと称される手法によるものがあり、写真等の画像や凹凸等の情報を、テクスチャーを表現しようとするモデル面に貼り付けて、質感をリアルに表現しようというものである。
【０００３】
上記テクスチャーマッピングにおけるような操作を行うことなく、一般ユーザの簡単な操作によって、テクスチャーを表現した画像を得ようとするものに、例えば、特許文献１がある。
【０００４】
【特許文献１】特開平１１−１３４４９１
【発明の開示】
【発明が解決しようとする課題】
【０００５】
しかしながら、上記のテクスチャーマッピングによる手法によれば、あらかじめ写真や図形等のマッピング用の画像や情報を用意しておかなければならず、その画像等作成のための作業に手間や時間がかかる。また、マッピング用の画像や情報が多数必要な場合には、画像データ等の容量も増えるため、彩色図面の作成に支障が生じる。さらに、彩色図面の作成にあたっては、マッピング用の画像や情報をどのように貼り付けるか等の指示が必要となり、手間や時間がかかる上に、複雑な処理を要するために、知識や経験に乏しい一般的なユーザにとって、簡易にテクスチャーを表現した図面の作成を行うことは困難である。
【０００６】
一方、特許文献１によれば、デジタルカメラ等の画像入力装置により各部材ごとに画像を取り込み、画像処理したものを画像データとしてテクスチャーを表現しようとするモデル面（各部材）に貼り付ける必要があるため、一の図面の中に多数の部材が錯綜していることが多い、平面図や立面図においては、各部材のテクスチャーを表現した彩色図面を、簡易に作成することはできない。
【０００７】
そこで本願は、テクスチャーマッピング等の複雑で手間のかかる操作を一切行うことなく、単純な処理で、各部材のテクスチャーを表現した彩色図面を作成することを可能とするシステムを開発したものである。
【課題を解決するための手段】
【０００８】
上記の課題を解決するために、請求項１記載の彩色図面作成システムは、Ｃ
ＡＤにより作図した図面の各部材に彩色を施して彩色図面を作成するシステムであって、ＣＡＤで作成した図面に基づいて、各部材の塗り方を定義し、前記定義された塗り方によって各部材の塗りパターンを設定し、上記設定された塗りパターンによって各部材の彩色を行うことにより、彩色図面を作成することを要旨とする。
【０００９】
また、請求項２記載の彩色図面作成システムは、ＣＡＤにより作図した、彩色情報、色（ＲＧＢ）情報、及び塗りパターン情報を有する図面の各部材に彩色を施して、彩色図面を作成するシステムであって、当該システムは、ＣＡＤで作成した図面に基づいて、彩色情報において、各部材の色コードを定義する手段と、塗りパターン情報において、各部材の塗り方を定義する手段と、色（ＲＧＢ）情報において、前記定義された各部材の色コードに対する、塗色を設定する手段と、色（ＲＧＢ）情報において、上記定義された各部材の塗り方によって、前記定義された各部材の色コードに対する、塗りパターンを設定する手段と、上記定義された各部材の色コード、設定された各部材の色コードに対する塗色、及び設定された各部材の色コードに対する塗りパターンによって、各部材の彩色を行い、彩色図面を作成する手段と、上記作成された彩色図面を表示する手段と、前記表示された彩色図面を出力する手段と、を有することを要旨とする。
【００１０】
また、請求項３記載の彩色図面作成プログラムは、ＣＡＤにより作図した、
彩色情報、色（ＲＧＢ）情報、及び塗りパターン情報を有する図面の各部材に彩色を施して、彩色図面を作成するシステムを機能させるためのプログラムであって、コンピューターを、ＣＡＤで作成した図面に基づいて、彩色情報において、各部材の色コードを定義する手段と、塗りパターン情報において、各部材の塗り方を定義する手段と、色（ＲＧＢ）情報において、前記定義された各部材の色コードに対する、塗色を設定する手段と、色（ＲＧＢ）情報において、上記定義された各部材の塗り方によって、前記定義された各部材の色コードに対する、塗りパターンを設定する手段と、上記定義された各部材の色コード、設定された各部材の色コードに対する塗色、及び設定された各部材の色コードに対する塗りパターンによって、各部材の彩色を行い、彩色図面を作成する手段と、上記作成された彩色図面を表示する手段と、前記表示された彩色図面を出力する手段として機能させることを要旨とする。
【００１１】
また、請求項４記載の彩色図面作成プログラムを配信する配信サーバ装置は、ＣＡＤで作成した図面に基づいて、彩色情報において、各部材の色コードを定義する手段と、塗りパターン情報において、各部材の塗り方を定義する手段と、
色（ＲＧＢ）情報において、前記定義された各部材の色コードに対する、塗色を設定する手段と、色（ＲＧＢ）情報において、上記定義された各部材の塗り方によって、前記定義された各部材の色コードに対する、塗りパターンを設定する手段と、上記定義された各部材の色コード、設定された各部材の色コードに対する塗色、及び設定された各部材の色コードに対する塗りパターンによって、各部材の彩色を行い、彩色図面を作成する手段と、上記作成された彩色図面を表示する手段と、前記表示された彩色図面を出力する手段と、配信先の配信要求に応じて配信する配信手段と、を備えたことを要旨とする。
【００１２】
最後に、請求項５記載の彩色図面作成方法は、ＣＡＤにより作図した、彩色情報、色（ＲＧＢ）情報、及び塗りパターン情報を有する図面の各部材に彩色を施して、彩色図面を作成する方法であって、ＣＡＤで作成した図面に基づいて、彩色情報において、各部材の色コードを定義するステップと、塗りパターン情報において、各部材の塗り方を定義するステップと、色（ＲＧＢ）情報において、前記定義された各部材の色コードに対する、塗色を設定するステップと、色（ＲＧＢ）情報において、上記定義された各部材の塗り方によって、前記定義された各部材の色コードに対する、塗りパターンを設定するステップと、
上記定義された各部材の色コード、設定された各部材の色コードに対する塗色、及び設定された各部材の色コードに対する塗りパターンによって、各部材の彩色を行い、彩色図面を作成するステップと、上記作成された彩色図面を表示するステップと、前記表示された彩色図面を出力するステップと、を有することを要旨とする。
【発明の効果】
【００１３】
本発明によれば、テクスチャーマッピングのための画像や情報を別途作成するという手間をかけることなく、図面が有する彩色に関する情報の中で塗り方を定義しておく、という簡単な準備によって、各部材のテクスチャーを表現した彩色図面の作成を行うことができる。テクスチャーを表現するための、各部材の塗り方を定義した塗りパターン情報は、テキストデータであるため、マッピングのための画像や情報を扱う場合に比べて、システムの処理スピードが格段に速く、彩色図面を作成するオペレーター等にとって、大幅な作業効率の向上が図られる。
【００１４】
また、テクスチャーマッピングのような複雑で手間のかかる操作を行うことや、特別な画像入力装置を準備することも不要であり、部材の塗色と塗りパターンの設定、という簡単な操作によって、各部材のテクスチャーを表現した彩色図面の作成を行うことができる。
したがって、彩色図面の作成を行うオペレーター等にとって、大幅な操作性の向上が図られると共に、知識や経験に乏しい者であっても、テクスチャーを表現した彩色図面を非常に簡単に作成することが可能となる。
【００１５】
さらに、テクスチャーを表現した彩色図面を、簡単な操作で、作成することができるため、これまで、時間がないために仕方なく単一色で彩色図面を作成して顧客に提示していたケースでも、迅速に、テクスチャーを表現したリアル感のある彩色図面を提示することが可能となる。また、顧客の年齢や嗜好等に応じて、テクスチャーの表現を変えたり、単一色でイラスト的な表現としたりする等して、プレゼンテーションの幅を大きく広げることができ、これまでプレゼンテーションが自己の好みにマッチしないために住宅購入に消極的であった顧客等に対してもアピールすることで、潜在的な住宅需要を喚起させることが可能となる。
【発明を実施するための最良の形態】
【００１６】
図１は本発明の彩色図面作成システムの構成図である。請求項に記載された本発明に係るシステムは、この図に示すように、システムを制御するプログラムされた主制御部（１）に記憶装置（２）が接続され、当該主制御部（１）にはキーボードやマウス等のポインティングデバイスからなる入力装置（３）、入力データのモニタリングや作成された彩色図面を表示する表示装置（４）、作成された彩色図面を出力する出力装置（５）が接続されている。
【００１７】
主制御部（１）にはＯＳ（Operating system）等の制御プログラムと、本発明に係るプログラムを機能させる各種手段の他、当該手段の処理手順を規定したプログラム及びシステムを稼動させるために必要となる諸手段が格納されている。
また、その他、各種データの一時蓄積のための内部メモリや、コンピュータシステムを稼動させ、前記プログラムを実行させる上で必要なハードウエアやソフトウエアなどの構成要件は当然有するものとする。
【００１８】
なお、本システムは上記の構成に限られるものでなく、他の既知の構成によってもよい。即ち、ＣＤ−ＲＯＭ等のコンピュータ読み取り可能な記録媒体に本システムに係るプログラムやファイル等を記録して、他のコンピュータにインストールして利用できるほか、配信サーバ装置を利用し、配信先の配信要求に応じて、ネットワークを介し、他のコンピュータのメモリへ、本システムに係るプログラムやファイル等ダウンロードしたり、また、機能のみを利用させたりすることとしても良い。
【００１９】
彩色図面の作成に先立ち、彩色処理が施される前の状態の図面が、本システムの有するＣＡＤ機能により作成される。作成されるＣＡＤ図面は、彩色の対象となるものであり、平面図、立面図、外観パース図、内観パース図等、彩色の効果を発揮するものであれば図面の種類は問わない。
【００２０】
請求項２乃至請求項５に記載の「彩色情報」、「色（ＲＧＢ）情報」、「塗りパターン情報」とは、ＣＡＤにより作成された図面が有する、図面の彩色に関しての情報である。
「彩色情報」とは、図面の各部材にそれぞれ他の部材と識別可能なようにそれぞれ付される、色コード等の識別番号についての情報をいう。
「色（ＲＧＢ）情報」とは、上記識別番号にどのような塗色を付与し、どのような塗りパターンで塗るかについての情報をいう。色（ＲＧＢ）情報においては、各部材の識別番号ごとに、塗色及び塗りパターンの設定ができるようになっている。塗色の設定は１色のみでもよいし、２色以上でもよい。塗色の設定を１色とした場合には、塗りパターンの設定は不要である。
また、「塗りパターン情報」とは、「塗りパターン」についてのテキスト形式の情報であり、「塗りパターン」とは、図面の各部材について、テクスチャーを表現した彩色処理を行うために、どのような塗り方で塗るかについての、部材ごとの塗り方についての規則をいう。塗りパターン情報は、例えば、図４または図５に示すように、文字列（「０」と「１」）の組み合わせによるテキストファイルとして与えられる。上記色（ＲＧＢ）情報における塗りパターンの設定は、各色コードに対して、どの塗りパターン情報を用いるか、を指定することによって行う。
【００２１】
このようにして、図面の各部材が何色で彩色され、またどのような塗り方で彩色されるかということについて、彩色情報、色（ＲＧＢ）情報、塗りパターン情報においてあらかじめ設定されるので、これらの情報に基づいて、各部材が彩色処理され、彩色図面が自動的に作成される。
色（ＲＧＢ）情報において２色以上の塗色が設定されている部材は、それぞれの塗りパターンによって、塗りパターン情報で定義された塗り方で、テクスチャーを表現した彩色処理が行われる。1色のみの塗色が設定されている部材は、設定された塗色による単一色で彩色処理が行われる。
【００２２】
また、色（ＲＧＢ）情報において２色以上の塗色が設定されている場合であっても、設定された塗色を１色しか読み込まず、かつ、設定された塗りパターンの読み込み処理を行わない設定によって、各部材を単一色で彩色処理することもできる。この場合には、各部材を単一色で、いわゆるベタ塗りで表現した彩色図面が作成される。
【００２３】
テクスチャー表現した彩色図面、単一色でベタ塗り表現した彩色図面のいずれの彩色図面を作成するかの選択は、入力装置（３）の操作によって簡易に行うことができ、選択により各部材が自動的に彩色処理されてそれぞれの彩色図面が作成される。
作成された彩色図面は、表示装置（４）に表示され、さらに、表示された彩色図面は出力装置（５）によって出力することができる。
【００２４】
なお、自動的に作成された彩色図面において、部分的に、部材の色コードに対してあらかじめ設定された、塗色や塗りパターンを変更することで、各部材の色や塗り方を個別に変更したり、あるいは、部分的に、部材の色コードに対してあらかじめ設定された２色の塗色を1色しか読み込まず、かつ、設定された塗りパターンの読み込み処理を行わないことで、各部材を個別に単一色で彩色処理することも可能である。
彩色情報、色（ＲＧＢ）情報、塗りパターン情報、作成された彩色図面等のデータは、随時、記憶装置（２）に蓄積できることはいうまでもない。
【実施例１】
【００２５】
本発明の第１の実施例を図１〜図９に基づいて説明する。
本実施例は、ＣＡＤにより作成された平面図について、塗りパターンによりテクスチャーを表現した彩色図面を作成する技術に関するものである。
【００２６】
図１は彩色図面作成システムの構成を示す図、図２は処理の流れを示すフロー図、図３（ａ）は彩色情報における色コード定義の状況を示す図、図３（ｂ）は色（ＲＧＢ）情報における塗色設定の状況を示す図、図４は部材「芝生」の塗りパターン定義の状況を示す図、図５は部材「フローリング」の塗りパターン定義の状況を示す図、図６（ａ）は部材「芝生」をテクスチャー表現する場合の彩色処理状況を示す図、図６（ｂ）は部材「芝生」を単一色でベタ塗り表現する場合の彩色処理の状況を示す図、図７（ａ）は部材「フローリング」をテクスチャー表現する場合の彩色処理の状況を示す図、図７（ｂ）は部材「フローリング」を単一色でベタ塗り表現する場合の彩色処理の状況を示す図、図８はテクスチャー表現した彩色図面の作成画面を示す図、図９は実施例１に係るテクスチャー表現した彩色図面作成結果のイメージを示す図である。
【００２７】
図中、（１）は主制御部、（２）は記憶装置、（３）は入力装置、（４）は表示装置、（５）は出力装置、である。
【００２８】
彩色図面の作成に先立って、彩色処理が施される前の状態の平面図（以下、「図面Ｘ‐0」と称す）が、本システムの有するＣＡＤ機能により、作成される（Ｓ201）。
作成された図面Ｘ‐0の有する彩色情報において、各部材ごとに色コードが定義される（Ｓ202）。例えば、図３（ａ）に示すように、部材名「芝生」に対しては色コード「１０００１」、部材名「フローリング」に対しては色コード「２０００１」、のように定義される。
【００２９】
一方、作成された図面Ｘ−0の有する塗りパターン情報において、各部材の塗り方が定義される（Ｓ202）。例えば、部材「芝生」は図４、部材「フローリング」は図５のように定義される。各部材の塗り方は、「０」と「１」の文字の羅列により定義され、1文字が彩色図面上での１画素に相当する。「０」は、色（ＲＧＢ）情報において設定される色１によって部材が彩色されることを示し、「１」は、同様に色（ＲＧＢ）情報において設定される色２によって部材が彩色されることを示している。
塗りパターン情報における文字列（「０」と「１」）の組み合わせを、図４のようにランダムにすると、自然な凹凸感や素材感によって、「芝生」のような部材のテクスチャーを彩色図面上で表現することができる。また、図５のように、文字列（「０」と「１」）の組み合わせを規則的にすると、ハッチング模様によって、一定間隔の目地を有する「フローリング」のような部材のテクスチャーを彩色図面上で表現できる。
【００３０】
また、定義された色コードに対しては、図面Ｘ−０の色（ＲＧＢ）情報において、それぞれ２色の塗色が設定できるようになっている（Ｓ203）。例えば、図３（ｂ）に示すように、色コード「１０００１」に対しては「薄い緑」（色１）と「緑」（色２）、色コード「２０００１」に対しては「ベージュ」（色１）と「茶」（色２）、というように、塗りパターンと組み合わせてテクスチャーを表現するための希望の２色を、各色コードごとに設定できる。
部材のテクスチャーを表現しない色コードについては、２色を設定する必要はなく、１色（色１）のみ設定を行うことができる。
【００３１】
さらに定義された色コードごとに、図面Ｘ−0の色（ＲＧＢ）情報において、塗りパターンを設定する（Ｓ203）。塗りパターンの設定は、上記塗りパターン情報において部材ごとに塗り方を定義したテキストファイルを指定することによって行う。例えば、図３（ｂ）に示すように、色コード「１０００１」に対しては、「芝生」の塗り方を定義した「芝生．ｔｘｔ」、色コード「２０００１」に対しては、「フローリング」の塗り方を定義した「フローリング．ｔｘｔ」、というように、各色コードごとに塗りパターン情報における希望のテキストファイルを指定することによって、各色コードの塗りパターンの設定を行う。
上記塗色の設定において１色のみが設定された色コードについては、塗りパターンの設定は行わない。
また、図面Ｘ−０の塗りパターン情報における各部材のテキストファイルは、記憶装置（２）に蓄積されているので、図面Ｘ−０以外の平面図においても、当該テキストファイルを使用して、塗りパターンを設定することができる。
【００３２】
その他の、生け垣、樹木、タイル、自然石、コンクリート、アスファルト、ウッドデッキ、畳、家具など、図面Ｘ−０においてテクスチャーを表現した彩色処理を施したい部材についても、同様に、彩色情報において色コードを定義して、塗りパターン情報において各部材の塗り方を定義し、さらに、色（ＲＧＢ）情報において各色コードの塗色及び塗りパターンを設定する。
【００３３】
図面Ｘ−０についての彩色図面は、各部材の色コードの定義、各色コードの塗色及び塗りパターンの設定によって、自動的に作成される（Ｓ204）。この場合に、各部材があらかじめ設定された塗色及び塗り方によって彩色処理される。      
色（ＲＧＢ）情報において２色の塗色が設定されている場合には、２色の塗色（「色１」と「色２」）がそれぞれ塗りパターン情報の「１」と「０」に割り当てられ、該当する部材が２色で彩色処理される。本実施例においては、例えば、「芝生」は図６（ａ）のように彩色処理され、「フローリング」は図６（ｂ）のように彩色処理される。各部材についてこのような処理が行われ、各部材のテクスチャーをそれぞれ表現した彩色図面が作成される。「テクスチャーを表現した彩色図面」においても、色（ＲＧＢ）情報において1色のみの塗色設定がされている部材については、単一色で彩色処理されることはいうまでもない。
塗りパターン情報における各部材の塗り方は、任意の画素数によって定義されている。例えば本実施例において、「フローリング」の塗り方は「横１０画素、縦２画素」によって定義されているが、「フローリング」部材の彩色処理時には、上記定義された塗り方が１単位となり、繰り返されることによって、「フローリング」部材の領域全体が彩色されることとなる。
【００３４】
また、色（ＲＧＢ）情報における「色２」及び「塗りパターン」情報の読み込み処理を行わないことによって、部材を単一色でベタ塗り表現とすることも可能である。例えば、「芝生」は図６（ｂ）のように、「フローリング」は図７（ｂ）のように単一色で彩色処理することができる。
テクスチャー表現した彩色図面とするか単一色によるベタ塗り表現の彩色図面とするかは、図８に示すように、画面上のチェックボックスをチェックして「ＯＫ」をクリックすることによって、簡単に選択できる。テクスチャー表現を「する」を選択した場合には、テクスチャー表現した彩色図面が自動的に作成され、「しない」を選択した場合には、単一色でベタ塗り表現とした彩色図面が自動的に作成される。  
【００３５】
作成された彩色図面は、画面等の表示装置（４）に表示される（Ｓ205）。本実施例において、テクスチャーを表現した彩色図面は、図９のような作成結果として表示される。さらに、表示された彩色図面は、プリンタ、プロッタ等の出力装置（５）によって、プリントアウト、プロットアウト等の出力ができる（Ｓ206）。
【００３６】
以上、本実施例によれば、テクスチャーマッピングのような複雑な処理を行うことなく、単純なペイント（彩色）処理によって、各部材のテクスチャーを十分に表現した彩色図面の作成が可能となる。
２色の色（ＲＧＢ）情報と塗り方を定義するテキストファイルという、単純で小さな容量のファイルを使用しており、単純なペイント処理だけで各部材の素材感、テクスチャーを表現することができる。
各部材のテクスチャーを表現するための塗り方は、塗りパターン情報においてあらかじめ定義されているので、テクスチャーの指示などの面倒な操作は一切不要であり、マッピング用の画像を用意する必要もないので、画像データの容量が増えていくといった問題も発生せずにすむ。
【００３７】
また、各部材によって、規則的な塗りパターンとランダムな塗りパターンを使い分けることができるため、部材を彩色する２色との組み合わせによって、単一色でのベタ塗りに比べて、自然な素材感を簡単に表現することができる。
さらに、テクスチャー表現した彩色図面を、随時、単一色でのベタ塗り表現による彩色図面へと変更できるため、イラスト風のポップな表現を好む顧客に対してはあえて単一色によるベタ塗り表現の彩色図面を提示してプレゼンテーションを行う等、個々の顧客の嗜好に対応した彩色図面を迅速に作成することが可能となり、顧客の心を的確につかむという面から営業活動への多大な貢献となることが期待できる。
【実施例２】
【００３８】
本発明の第２の実施例を図２、図１０〜図１２を参照しながら説明する。
本実施例は、ＣＡＤにより作成された立面図について、塗りパターンによりテクスチャーを表現した彩色図面の作成を行う技術に関するものである。
【００３９】
図２は処理の流れを示すフロー図、図１０（ａ）は部材「外壁」をテクスチャー表現する場合の彩色処理の状況を示す図、図１０（ｂ）は部材「外壁」を単一色でベタ塗り表現する場合の彩色処理の状況を示す図、図１０（ｃ）は部材「外壁」の模様線を消去して単一色でベタ塗り表現する場合の彩色処理の状況を示す図、図１１（ａ）は実施例２に係るテクスチャー表現した彩色図面作成結果のイメージを示す図、図１１（ｂ）は実施例２に係る単一色でベタ塗り表現した彩色図面作成結果のイメージを示す図、図１２は「外壁サンプル」のイメージを示す図である。
【００４０】
彩色処理が施される前の状態の立面図（以下、「図面Ｘ−1」と称す）の作成（Ｓ201）、各部材の色コードの定義及び各部材の塗り方の定義（Ｓ202）、各色コードの塗色の設定及び各色コードの塗りパターンの設定（Ｓ203）までは、前述の実施例１と同様である。
本実施例においては、部材「外壁」について、色（ＲＧＢ）情報において任意の２色が設定され、図４に示す実施例１に係る「芝生」の場合と同様、塗りパターン情報における文字列（「０」と「１」）のランダムな羅列により、塗り方が定義されているものとする。
【００４１】
実施例１と同様に、各部材の色コード、各色コードの塗色及び塗りパターンの設定により、各部材があらかじめ設定された塗色及び塗り方で彩色処理され、図面Ｘ−１についてのテクスチャーを表現した彩色図面が作成される（Ｓ204）。この場合に、例えば、本実施例における「外壁」は、図１０（ａ）のように彩色処理され、各部材についてこのような処理が行われることによって、各部材のテクスチャーを表現した彩色図面が作成される。
また、各部材を単一色でベタ塗り表現とすることもできるのは、実施例１と同様であり、その場合には、例えば、本実施例における「外壁」は図１０（ｂ）のように彩色処理される。
【００４２】
さらに、図面Ｘ−1が、彩色に関する情報とは別の、製図情報として有する各部材の模様線の情報を、読み込まないように処理させることもできる。例えば、本実施例における「外壁」については、図１０（ｃ）のように、「外壁」の模様線を表示させないようにして、かつ、単一色によるベタ塗りで彩色処理させることができる。また、模様線の色を、例えばオフホワイト系に変更する等、線色の変更も可能である。
【００４３】
作成された彩色図面は、画面等の表示装置（４）に表示される（Ｓ205）。本実施例において、テクスチャーを表現した彩色図面は、図１１（ａ）のような作成結果として表示され、単一色でのベタ塗り表現による彩色図面は、図１１（ｂ）のような作成結果として表示される。さらに、表示された彩色図面を、プリンタ、プロッタ等の出力装置（５）によって、プリントアウト、プロットアウト等の出力ができる（Ｓ206）のは、実施例１と同様である。
【００４４】
なお、色（ＲＧＢ）情報における２色の塗色の相違、塗り方の相違、または２色の塗色と塗り方の組み合わせの相違によって、同一の部材について複数の異なるテクスチャーを表現することが可能となるが、この異なるテクスチャーで彩色処理されたものをあらかじめ複数作成しておき、作成結果を同一部材についてのサンプル（見本帳）として利用することができる。例えば、本実施例に係る「外壁」については図１２のようなサンプルが作成可能である。
上記サンプルは、プリントアウト等、出力して利用する他、出力せずに画面上に表示されたものを利用したり、また、データとして各図面に利用することができる。
【００４５】
以上、本実施例によれば、例えば、通常の図面として表現したいときは単一色のベタ塗り表現による彩色図面、素材感やリアル感を表現したいときはテクスチャーを表現した彩色図面、イラスト風のタッチを表現したいときは模様線を消去し、かつ単一色で表現した彩色図面、というように、プレゼンテーションの目的に応じて、それぞれの彩色図面を使い分けることが可能となる。
したがって、顧客の年齢や嗜好等に、よりマッチした彩色図面を提示してプレゼンテーションすることができ、さらに、各々の彩色図面は簡単な操作で作成することができるため、顧客ニーズに柔軟かつ迅速に対応した図面の提供が可能となる。
【００４６】
さらに、各部材についてのサンプルを作成しておくことで、サンプルデータを利用して彩色図面を作成することが可能となり、図面を作成するオペレーター等にとって、より労力の削減が図られる。
また、各部材のサンプル帳として顧客に提示することもできるため、テクスチャーのバリエーションが非常に多くある場合には、それぞれのバリエーションについて彩色図面を作成することなく、顧客の選択肢の幅を広げることが可能となる。各々の顧客はサンプルの中から、各部材ごとに好みにあったテクスチャーを選択することができるので、さらに、選択されたテクスチャーを組み合わせて、個々の顧客の好みに対応した彩色図面を作成することが可能となる。
【産業上の利用可能性】
【００４７】
ＣＡＤで作成した図面に基づいて、各部材の塗りパターンを設定し、設定さ
れた塗りパターンによってテクスチャーを表現した彩色図面を作成するシステム及びその方法は、作成されるＣＡＤ図面が平面図や立面図である場合のみならず、外観パース図、内観パース図等、彩色してプレゼンテーションを行うあらゆる図面について実施できるものである。
また、色（ＲＧＢ）情報に設定される色は、コンピューターの処理能力に応じて、3色〜5色、あるいはそれ以上の色を設定することも可能であり、その場合には、よりリアル感のある表現の彩色図面を作成することができる。
【図面の簡単な説明】
【００４８】
【図１】彩色図面作成システムの構成を示す図
【図２】処理の流れを示すフロー図
【図３】（ａ）  彩色情報における色コード定義の状況を示す図    （ｂ）  色（ＲＧＢ）情報における塗色設定の状況を示す図
【図４】部材「芝生」の塗りパターン定義の状況を示す図
【図５】部材「フローリング」の塗りパターン定義の状況を示す図
【図６】（ａ）  部材「芝生」をテクスチャー表現する場合の彩色処理状況を示す図    （ｂ）  部材「芝生」を単一色でベタ塗り表現する場合の彩色処理の状況を示す図
【図７】（ａ）  部材「フローリング」をテクスチャー表現する場合の彩色処理の状況を示す図    （ｂ）  部材「フローリング」を単一色でベタ塗り表現する場合の彩色処理の状況を示す図
【図８】テクスチャー表現した彩色図面の作成画面を示す図
【図９】実施例１に係るテクスチャー表現した彩色図面作成結果のイメージを示す図
【図１０】（ａ）  部材「外壁」をテクスチャー表現する場合の彩色処理の状況を示す図    （ｂ）  部材「外壁」を単一色でベタ塗り表現する場合の彩色処理の状況を示す図    （ｃ）  部材「外壁」の模様線を消去して単一色でベタ塗り表現する場合の彩色処理の状況を示す図
【図１１】（ａ）  実施例２に係るテクスチャー表現した彩色図面作成結果のイメージを示す図    （ｂ）  実施例２に係る単一色でベタ塗り表現した彩色図面作成結果のイメージを示す図
【図１２】「外壁サンプル」のイメージを示す図
【符号の説明】
【００４９】
１  主制御部
２  記憶装置
３  入力装置
４  表示装置
５  出力装置
【図１】
2005157811.tif 000003
【図２】
2005157811.tif 000004
【図３】
2005157811.tif 000005
【図４】
2005157811.tif 000006
【図５】
2005157811.tif 000007
【図８】
2005157811.tif 000008
【図６】
2005157811.tif 000009
【図７】
2005157811.tif 000010
【図９】
2005157811.tif 000011
【図１０】
2005157811.tif 000012
【図１１】
2005157811.tif 000013
【図１２】
2005157811.tif 000014